(57)【要約】【課題】オペレータが分散型制御システム上で操作をした結果どのような異常が起きたかを画面上で認識することができ、プラント全体の一元管理を可能にした表示装置を実現する。【解決手段】プラントに所定の現象が発生したかどうかを示すイベントデータを表示する表示装置において、プラントを制御運転する分散型制御システムで作成したヒストリカルメッセージとイベントデータとを同一画面に一覧表示するビューワ手段を設けた。これによって、イベントデータと分散型制御システムのヒストリカルメッセージを同一画面上に表示した。【選択図】　　　図１
2004054555.tif 000002
【特許請求の範囲】
【請求項１】
プラントに所定の現象が発生したかどうかを示すイベントデータを表示する表示装置において、
プラントを制御運転する分散型制御システムで作成したヒストリカルメッセージと前記イベントデータとを同一画面に一覧表示するビューワ手段を有することを特徴とする表示装置。
【請求項２】
前記ヒストリカルメッセージとイベントデータには発生時刻を示す時刻データが付けられていて、前記ビューワ手段は発生時刻順にヒストリカルメッセージとイベントデータを画面上に一覧表示することを特徴とする請求項１に記載の表示装置。
【請求項３】
前記イベントデータに付けられた時刻データは前記ヒストリカルメッセージに付けられた時刻データよりも高分解能であることを特徴とする請求項２に記載の表示装置。
【請求項４】
分散型制御システムからイベントデータを取得し、取得したイベントデータを表示するためのデータに加工し、加工したデータをビューワ手段に与えるイベントデータサーバを有することを特徴とする請求項１乃至請求項３のいずれかに記載の表示装置。
【請求項５】
同一画面上に一覧表示したヒストリカルメッセージとイベントデータの中で、所定の条件を満たす重要なヒストリカルメッセージとイベントデータに識別マークを付ける識別表示手段を有することを特徴とする請求項２乃至請求項４のいずれかに記載の表示装置。
【請求項６】
前記識別表示手段は、ヒストリカルメッセージとイベントデータにはそれぞれ異なる識別マークを付けることを特徴とする請求項５に記載の表示装置。
【請求項７】
前記識別表示手段は、重要度に応じてヒストリカルメッセージとイベントデータに付ける識別マークの形を変えることを特徴とする請求項５に記載の表示装置。
【発明の詳細な説明】
【０００１】
【発明の属する技術分野】
本発明は、プラントに所定の現象が発生したかどうかを示すイベントデータを表示する表示装置に関するものである。更に詳しくは、イベントデータと分散型制御システムのヒストリカルメッセージを同一画面上に表示し、プラント全体を一元管理できるようにするための工夫を施した表示装置に関するものである。
【０００２】
【従来の技術】
イベントデータは、例えばプラントに存在する温度や圧力が上限値を超えているかどうか、ある接点信号がオンになっているかどうか等のように、プラントに所定の現象が発生したかどうかを示すデータである。
ＳＯＥ（Ｓｅｑｕｅｎｃｅ　ｏｆ　Ｅｖｅｎｔ）機能は、イベントデータを収集して発生時刻順に並べる機能である。ＳＯＥビューワは、収集したイベントデータを発生時刻順に並べて画面に一覧表示する。オペレータは一覧表示されたイベントデータに基づいてプラントを監視する。
【０００３】
分散型制御システムは、操作監視ステーションと制御ステーションを用いてプラントを制御するシステムである。
図４は一般的な分散型制御システムの構成例を示した図である。
図４で、操作監視ステーション１と制御ステーション２は通信バス３に接続されている。制御ステーション２は操作監視ステーション１の監視下でプラント４を制御する。操作監視ステーション１はプラントの運転操作と監視を担当する。操作監視ステーション１は制御運転や監視をするための画面を表示する。プラントの規模に応じて複数の制御ステーションがプラントに分散配置される。
【０００４】
プラント４に存在するセンサ機器４１，４２は、温度、圧力、液位等のプロセス値を検出する。バルブ４３，４４は制御ステーション２から与えられる操作信号によって開度が制御される。センサ機器４１，４２が出力した４〜２０ｍＡ，１〜５Ｖのアナログ信号が制御ステーション２に入力される。この入力をもとに制御ステーション２にある制御ユニット（図示せず）は、制御演算を行い、操作量を求める。この操作量は４〜２０ｍＡ，１〜５Ｖのアナログ信号として出力され、この出力によりバルブ４３，４４の開度を制御する。例えば反応釜のバルブ開度を制御することによって、温度、圧力等のプロセス量を制御する。
【０００５】
図５は従来におけるイベントデータの表示装置の構成例を示した図である。
図５で、イベントデータサーバ５は、イベントデータを収集して蓄える。イベントレコーダ６は、イベントデータを収集して記録しておく。ＳＯＥビューワ７は、イベントデータサーバ５とイベントレコーダ６からイベントデータを取得し、取得したイベントデータを画面表示する。
【０００６】
図５の従来例は単なるイベントデータの表示機能としては市場の要求を満足していた。しかし、分散型制御システムからは独立した装置であったため、オペレータはＳＯＥビューワの画面と分散型制御システムの画面とを見比べて、プラントに発生した事象の解析作業を行う必要があった。すなわち、プラント全体を一元管理することができなかった。
【０００７】
【発明が解決しようとする課題】
本発明は上述した問題点を解決するためになされたものであり、イベントデータと分散型制御システムのヒストリカルメッセージを同一画面上に表示することによって、オペレータが分散型制御システム上で操作をした結果どのような異常が起きたかを画面上で認識することができ、プラント全体の一元管理を可能にした表示装置を実現することを目的とする。
【０００８】
【課題を解決するための手段】
本発明は次のとおりの構成になった表示装置である。
【０００９】
（１）プラントに所定の現象が発生したかどうかを示すイベントデータを表示する表示装置において、
プラントを制御運転する分散型制御システムで作成したヒストリカルメッセージと前記イベントデータとを同一画面に一覧表示するビューワ手段を有することを特徴とする表示装置。
【００１０】
（２）前記ヒストリカルメッセージとイベントデータには発生時刻を示す時刻データが付けられていて、前記ビューワ手段は発生時刻順にヒストリカルメッセージとイベントデータを画面上に一覧表示することを特徴とする（１）に記載の表示装置。
【００１１】
（３）前記イベントデータに付けられた時刻データは前記ヒストリカルメッセージに付けられた時刻データよりも高分解能であることを特徴とする（２）に記載の表示装置。
【００１２】
（４）分散型制御システムからイベントデータを取得し、取得したイベントデータを表示するためのデータに加工し、加工したデータをビューワ手段に与えるイベントデータサーバを有することを特徴とする（１）乃至（３）のいずれかに記載の表示装置。
【００１３】
（５）同一画面上に一覧表示したヒストリカルメッセージとイベントデータの中で、所定の条件を満たす重要なヒストリカルメッセージとイベントデータに識別マークを付ける識別表示手段を有することを特徴とする（２）乃至（４）のいずれかに記載の表示装置。
【００１４】
（６）前記識別表示手段は、ヒストリカルメッセージとイベントデータにはそれぞれ異なる識別マークを付けることを特徴とする（５）に記載の表示装置。
【００１５】
（７）前記識別表示手段は、重要度に応じてヒストリカルメッセージとイベントデータに付ける識別マークの形を変えることを特徴とする（５）に記載の表示装置。
【００１６】
【発明の実施の形態】
以下図面を用いて本発明を詳しく説明する。
図１は本発明の一実施例を示す構成図である。
図１で、ＳＯＥビューワ８はビューワ手段８１と表示手段８２とを有する。ビューワ手段８１は、分散型制御システムで作成したヒストリカルメッセージとイベントデータサーバ（ＳＯＥサーバ）９から取得したイベントデータとを同一画面上に一覧表示する。ヒストリカルメッセージとイベントデータには発生時刻を示す時刻データが付けられていて、ビューワ手段８１は発生時刻順にヒストリカルメッセージとイベントデータを画面上に一覧表示する。
【００１７】
ヒストリカルメッセージは、分散型制御システムの操作監視ステーション１が保有するヒストリカルメッセージファイル１１から取得する。
イベントデータは、分散型制御システムの制御ステーション２から取得する。イベントデータサーバ９は、制御ステーション２の入出力ユニットからイベントデータを取得する。入出力ユニットのどの入力点のデータを取得するかは予め定義されている。
イベントデータサーバ９は、分散型制御システムよりも短周期でデータを収集している。このため、イベントデータに付けられた時刻データはヒストリカルメッセージに付けられた時刻データよりも高分解能である。例えば、イベントデータには１ｍｓｅｃ分解能の時刻データが付けられ、ヒストリカルメッセージには１ｓｅｃ分解能の時刻データが付けられている。
【００１８】
イベントデータサーバ９は、制御ステーション２から取得したイベントデータを表示するためのデータに加工し、加工したデータをビューワ手段８１に与える。イベントデータサーバ９の構成を説明する。
データ収集手段９１は、定周期で制御ステーション２にアクセスし、イベントデータがあるかどうかをチェックする。イベントデータがあるときは収集する。制御ステーション２はＧＰＳ（Ｇｌｏｂａｌ　Ｐｏｓｉｔｉｏｎｉｎｇ　Ｓｙｓｔｅｍ）から取った時刻データを持っている。ＧＰＳは全方位測位システムで標準時刻データを持っている。
【００１９】
データ収集手段９１は、制御ステーション２からイベントデータと時刻データを収集する。図では１つの制御ステーションから読み出しているが、複数の制御ステーションから読み出してもよい。
データ保存手段９２は、データ収集手段９１が収集したデータをファイルに落として一時保存する。
制御ステーション２はＧＰＳを用いて時刻同期を実現しており、この時刻データをデータ収集手段９１がイベントデータとともに収集する。これによって、高精度な時刻が常にイベントデータサーバ９に設定される。
【００２０】
ファイル変換手段９３は、データ保存手段９２の収集データをデータ収集処理に影響を与えないように、収集データに付加情報を付けてデータベース９４に格納する。付加情報は、例えばアラーム条件での動作に関する情報である。データベース９４は、例えばＳＱＬサーバ（ＳＱＬはＳｔｒｕｃｔｕｒｅｄ　Ｑｕｅｒｙ　Ｌａｎｇｕａｇｅ）である。データベース９４の内容はネットワークを通して参照することができる。ビューワ手段８１はデータベース９４の内容を参照する。
【００２１】
分散型制御システムで発生したメッセージは、時刻データを付けてヒストリカルメッセージファイル１１に格納される。ビューワ手段８１は定周期でヒストリカルメッセージファイル１１にアクセスしてメッセージを収集する。
このようにしてビューワ手段８１はイベントデータとヒストリカルメッセージを収集する。収集したイベントデータとヒストリカルメッセージの各情報をマージし、発生時刻順にソートして表示手段８２の画面に表示する。どのサーバ、どの操作監視ステーションから情報を取得するかはユーザが自由に選択できるため、必要な情報のみを表示することができる。
【００２２】
図２は表示手段８２の画面例を示した図である。
図２に示すように、イベントデータとヒストリカルメッセージの各情報が発生時刻順にソートして表示されている。イベントデータは１ｍｓｅｃ単位で時刻データが付けられているのに対して、ヒストリカルメッセージには１ｓｅｃ単位で時刻データが付けられている。図２で、タイムスタンプ（時刻データ）の下３桁が「０００」になっているのがヒストリカルメッセージで、それ以外はイベントデータである。
このようにイベントデータとヒストリカルメッセージをマージして表示したことにより、オペレータが分散型制御システム上である操作をした結果、どのような異常が起きたかをイベントデータとヒストリカルメッセージの発生順序をもとに解析することができる。
【００２３】
図１へ戻り、識別表示手段８３は、表示手段８２に一覧表示したヒストリカルメッセージとイベントデータの中で、所定の条件を満たす重要なヒストリカルメッセージとイベントデータを他と識別して表示する。重要なヒストリカルメッセージとイベントデータは、例えばトリップが発生したときにかけられるトリガ（トリップトリガ）や、重要アラーム等である。
【００２４】
識別表示は例えば次のようにして行う。
（ａ）メッセージ全体の色替え表示
トリップトリガ：背景色　黄色，文字　黒色
重要アラーム：背景色　白色，文字　赤色
他のメッセージ：背景色　白色，文字　黒色
（ｂ）行頭にカラーアイコンを表示
トリップトリガ：黒色の円内に黄色でＴの文字
重要アラーム：赤色の円内に白色でＨの文字
他のメッセージ：なし
このように区別表示して視認性を向上させた。
【００２５】
図３は重要なヒストリカルメッセージとイベントデータが発生したときの表示手段８２の画面例を示した図である。
図３に示すようにトリップトリガと重要アラームの行頭にはアイコンが表示されている。図３では、トリップトリガの行頭には円内にＴの文字のアイコンが表示され、重要アラームの行頭には円内にＨの文字のアイコンが表示されている。図では示されていないが、トリップトリガと重要アラームは色替え表示している。
【００２６】
図３の画面のように表示すると、重要なメッセージを一目で区別できるので、オペレータがプラントで発生した現象を解析するときの作業効率が格段に向上する。また、単なる色替えだけでなく、カラーアイコンも併用しているので、画面イメージをレーザプリンタなどの白黒プリンタに出力したときも、一目で重要なメッセージを区別することができる。更に、オペレータが色覚障害を持っていても、支障なく作業することができる。
【００２７】
なお、識別表示手段８３は、重要度に応じてヒストリカルメッセージとイベントデータに付ける識別マークの形を変えてもよい。
【００２８】
【発明の効果】
本発明によれば次の効果が得られる。
【００２９】
請求項１乃至請求項３に記載の発明では、イベントデータと分散型制御システムのヒストリカルメッセージを同一画面上に発生時刻順に一覧表示している。このため、
（ａ）原因：オペレータの操作内容、機器や制御プログラムの異常情報（システムアラーム）
（ｂ）経過：全てのイベントデータ、プロセスアラーム等
を一度に、かつ発生時刻順に知ることができる。これによって、オペレータが分散型制御システム上で操作をした結果どのような異常が起きたかを画面上で認識することができ、プラント全体の一元管理を可能にした。
【００３０】
請求項４記載の発明では、イベントデータサーバは、イベントデータを表示するためのデータに加工するため、オペレータはイベントデータの内容を容易に把握できる。
【００３１】
請求項５記載の発明では、重要なヒストリカルメッセージとイベントデータに識別マークを付けているため、一覧表示された多数のメッセージの中から重要なメッセージを一目で区別できるだけでなく、画面イメージをレーザプリンタなどの白黒プリンタに出力したときも、一目で重要なメッセージを区別することができる。また、オペレータが色覚障害を持っていても、支障なく作業することができる。
【００３２】
請求項６記載の発明では、ヒストリカルメッセージとイベントデータにはそれぞれ異なる識別マークを付けるため、画面イメージを白黒プリンタに出力したときや、オペレータが色覚障害を持っているときでも、ヒストリカルメッセージとイベントデータを区別できる。
【００３３】
請求項７記載の発明では、重要度に応じてヒストリカルメッセージとイベントデータに付ける識別マークの形を変えるため、画面イメージを白黒プリンタに出力したときや、オペレータが色覚障害を持っているときでも、重要度を識別できる。
【図面の簡単な説明】
【図１】本発明の一実施例を示す構成図である。
【図２】図１の装置の表示画面例を示した図である。
【図３】図１の装置の表示画面例を示した図である。
【図４】一般的な分散型制御システムの構成例を示した図である。
【図５】従来におけるイベントデータの表示装置の構成例を示した図である。
【符号の説明】
１　操作監視ステーション
２　制御ステーション
９　イベントデータサーバ
８１　ビューワ手段
８３　識別表示手段
９１　データ収集手段
９３　ファイル変換手段
【図１】
2004054555.tif 000003
【図２】
2004054555.tif 000004
【図３】
2004054555.tif 000005
【図４】
2004054555.tif 000006
【図５】
2004054555.tif 000007